(57)【要約】【課題】  皮下の状態を表す画像から所望する要素を抽出して表示すると共に、この表示された所望する要素をさらに細かい要素毎に色分け表示する。【解決手段】  あらかじめ指定された１以上の方向に対してそれぞれあらかじめ指定された個数以上の画素を含む画素列を抽出し、この抽出された画素列に含まれる各画素についてその輝度に応じてあらかじめ定められた色を指定し、抽出された画素列を画像表示するために生成する画像信号を指定された色として画像表示されるように生成する。また、画像信号における色合いに応じて皮脂部分の質を分類する。【選択図】  図１
2006129995.tif 000002
【特許請求の範囲】
【請求項１】
人体の皮下に対し超音波プローブを介して超音波を送受信する手段と、
この送受信する手段により受信した超音波の強度および当該受信波の送信時刻からの経過時間に基づき前記皮下の状態の情報を画素の輝度情報として収集する手段と、
この収集する手段により収集した前記輝度情報に基づき画像表示のための画像信号を生成する手段と
を備えた皮下状態表示装置において、
前記収集する手段により収集された前記輝度情報の中からあらかじめ指定された１以上の方向に対してそれぞれあらかじめ指定された個数以上の画素を含む画素列を抽出する手段と、
この抽出する手段により抽出された画素列に含まれる各画素についてその輝度に応じてあらかじめ定められた色を指定する手段と
を備え、
前記画像信号を生成する手段は、前記抽出する手段により抽出された画素列を画像表示するために生成する画像信号を前記色を指定する手段により指定された色として画像表示されるように生成する手段を備えた
ことを特徴とする皮下状態表示装置。
【請求項２】
前記画像信号を生成する手段により生成された画像信号における色合いに応じて皮脂部分の質を分類する手段を備えた請求項１記載の皮下状態表示装置。
【請求項３】
人体の皮下に対し超音波プローブを介して超音波を送受信する手段と、
この送受信する手段により受信した超音波の強度および当該受信波の送信時刻からの経過時間に基づき前記皮下の状態の情報を画素の輝度情報として収集する手段と、
この収集する手段により収集した前記輝度情報に基づき画像表示のための画像信号を生成する手段と
を備えた皮下状態表示装置に適用されるプログラムにおいて、
情報処理装置にインストールすることにより、その情報処理装置に、
前記収集する手段により収集された前記輝度情報の中からあらかじめ指定された１以上の方向に対してそれぞれあらかじめ指定された個数以上の画素を含む画素列を抽出する機能と、
この抽出する機能により抽出された画素列に含まれる各画素についてその輝度に応じてあらかじめ定められた色を指定する機能と、
前記画像信号を生成する手段に、前記抽出する機能により抽出された画素列を画像表示するための画像信号を生成させると共に、その画像信号を前記色を指定する機能により指定された色として画像表示されるように生成させる機能と
を実現させることを特徴とするプログラム。
【請求項４】
前記画像信号を生成する手段により生成された画像信号における色合いに応じて皮脂部分の質を分類する機能を実現させる請求項３記載のプログラム。
【発明の詳細な説明】
【技術分野】
【０００１】
本発明は、皮膚の表面から皮下に向けて送信された超音波の反射波を用いて皮下の状態を観測する装置に利用する。
【背景技術】
【０００２】
皮下の状態を超音波を用いて観測する技術が広く知られている。Ｘ線を用いる場合と比較して放射線の影響を考慮する必要がなく、簡易に皮下の状態を観測することができるため、広く利用されている。
【０００３】
図１９は超音波により観測された皮下の状態を概念的に示す図である。図１９に示すように、さまざまな方向に延びる線状の像やドット状の像が観測できる。これらの像は皮下の状態を必ずしも忠実に表しているとは限らず、例えば、皮下にある水泡や気泡により超音波が乱反射された結果として現れた像である場合もある（例えば、特許文献１、２、３参照）。
【０００４】
【特許文献１】特開２００１−２１２１１１号公報
【特許文献２】特開２００３−２３５８４８号公報
【特許文献３】特開２００３−３２５５１７号公報
【発明の開示】
【発明が解決しようとする課題】
【０００５】
このような従来の超音波を用いた皮下状態表示装置では、図１９に示したような皮下の状態の画像に対し、専門的知識を持った鑑定者が解析を行い、所望する情報を収集している。
【０００６】
この鑑定作業中に鑑定者は、図１９に示す画像から所望する情報の測定に必要な要素と不必要な要素とを自己の頭の中で選別し、鑑定者の頭の中に描かれた架空の画像に基づき鑑定を行っている。このような鑑定作業にあたり、あらかじめ図１９に示した画像から鑑定に不必要な要素を自動的に除去することができたら、鑑定作業は容易になる。
【０００７】
本発明は、このような背景に行われたものであって、皮下の状態を表す画像から所望する要素を抽出して表示することができると共に、この表示された所望する要素をさらに細かい要素毎に色分け表示することができる皮下状態表示装置およびプログラムおよび記録媒体および皮下状態表示方法を提供することを目的とする。
【課題を解決するための手段】
【０００８】
本発明の第一の観点は、人体の皮下に対し超音波プローブを介して超音波を送受信する手段と、この送受信する手段により受信した超音波の強度および当該受信波の送信時刻からの経過時間に基づき前記皮下の状態の情報を画素の輝度情報として収集する手段と、この収集する手段により収集した前記輝度情報に基づき画像表示のための画像信号を生成する手段とを備えた皮下状態表示装置である。
【０００９】
ここで、本発明の特徴とするところは、前記収集する手段により収集された前記輝度情報の中からあらかじめ指定された１以上の方向に対してそれぞれあらかじめ指定された個数以上の画素を含む画素列を抽出する手段と、この抽出する手段により抽出された画素列に含まれる各画素についてその輝度に応じてあらかじめ定められた色を指定する手段とを備え、前記画像信号を生成する手段は、前記抽出する手段により抽出された画素列を画像表示するために生成する画像信号を前記色を指定する手段により指定された色として画像表示されるように生成する手段を備えたところにある。
【００１０】
すなわち、皮下に有る生体の組織は、例えば、皮脂であれば、層を成しているし、筋肉であれば、繊維状になっており、必ず、ある程度の連続性を有し、周囲との関わりを持つことなくドット状に孤立して存在するものはない。
【００１１】
したがって、超音波の反射波によって収集した画素の輝度情報についても隣接する他の画素と関わりを持たない画素の輝度情報が有れば、それはノイズと判定して誤りではない。
【００１２】
そこで、本発明では、あらかじめ指定された１以上の方向に対してそれぞれあらかじめ指定された個数以上の画素を含む画素列だけを抽出することにより、ノイズ成分を除去した画素列を得ることができることを特徴とする。
【００１３】
例えば、皮脂ならば皮膚に対して平行な横方向の層を成しているので、縦方向の画素列に含まれる画素数よりも横方向の画素列に含まれる画素数の方が多い。よって、例えば、横方向に１００個、縦方向に２０個の画素を含む画素列を抽出するようにすれば、皮脂の画像にノイズが表示されることを回避することができる。
【００１４】
また、除去される成分はノイズ成分だけではなく、観測を所望する組織以外の組織の画像信号も除去することができ、観測を所望する組織の観測を容易にすることができる。例えば、臓器を観測したい場合には、表皮に対して垂直（縦）方向の画素列を指定することにより、表皮に対して平行（横）方向の皮脂または筋肉の画像信号を除去することができる。
【００１５】
さらに、本発明では、抽出した画素列について、その画素列に含まれる画素をその輝度に対応して色分け表示することを特徴とする。例えば、皮脂と筋肉とでは、その質量が異なるため、超音波の反射率が異なるので、収集した輝度情報も皮脂と筋肉とでは異なる。よって、輝度に対応して色分け表示することにより、皮脂と筋肉とを色分け表示することができる。
【００１６】
また、前記画像信号を生成する手段により生成された画像信号における色合いに応じて皮脂部分の質を分類する手段を備えることができる。
【００１７】
すなわち、多数の検体について、どのような色合いの場合には、皮脂部分の質がどのようなタイプに分類できるかを検証した統計情報を収集し、このデータを本発明の皮下状態表示装置に記憶させておくことにより、入力された画像信号の色合いに応じて皮脂部分の質を自動的に分類することができる。この分類結果は、皮下状態の表示画面上に同時に表示させることができる。
【００１８】
本発明の第二の観点は、人体の皮下に対し超音波プローブを介して超音波を送受信する手段と、この送受信する手段により受信した超音波の強度および当該受信波の送信時刻からの経過時間に基づき前記皮下の状態の情報を画素の輝度情報として収集する手段と、この収集する手段により収集した前記輝度情報に基づき画像表示のための画像信号を生成する手段とを備えた皮下状態表示装置に適用されるプログラムである。
【００１９】
ここで、本発明の特徴とするところは、情報処理装置にインストールすることにより、その情報処理装置に、前記収集する手段により収集された前記輝度情報の中からあらかじめ指定された１以上の方向に対してそれぞれあらかじめ指定された個数以上の画素を含む画素列を抽出する機能と、この抽出する機能により抽出された画素列に含まれる各画素についてその輝度に応じてあらかじめ定められた色を指定する機能と、前記画像信号を生成する手段に、前記抽出する機能により抽出された画素列を画像表示するための画像信号を生成させると共に、その画像信号を前記色を指定する機能により指定された色として画像表示されるように生成させる機能とを実現させるところにある。
【００２０】
さらに、前記画像信号を生成する手段により生成された画像信号における色合いに応じて皮脂部分の質を分類する機能を実現させることができる。
【００２１】
本発明の第三の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００２２】
これにより、汎用の情報処理装置を用いて、皮下の状態を表す画像から所望する要素を抽出して表示することができると共に、この表示された所望する要素をさらに細かい要素毎に色分け表示することができる皮下状態表示装置を実現することができる。
【００２３】
本発明の第四の観点は、人体の皮下に対し超音波プローブを介して超音波を送受信する手段と、この送受信する手段により受信した超音波の強度および当該受信波の送信時刻からの経過時間に基づき前記皮下の状態の情報を画素の輝度情報として収集する手段と、この収集する手段により収集した前記輝度情報に基づき画像表示のための画像信号を生成する手段とを備えた皮下状態表示装置が実行する皮下状態表示方法である。
【００２４】
ここで、本発明の特徴とするところは、前記収集する手段により収集された前記輝度情報の中からあらかじめ指定された方向に対してあらかじめ指定された個数以上の画素を含む画素列を抽出するステップと、この抽出するステップにより抽出された画素列に含まれる各画素についてその輝度に応じてあらかじめ定められた色を指定するステップと、前記画像信号を生成する手段に、前記抽出するステップにより抽出された画素列を画像表示するための画像信号を生成させると共に、その画像信号を前記色を指定するステップにより指定された色として画像表示されるように生成させるステップとを実行させるところにある。
【００２５】
さらに、前記画像信号を生成する手段により生成された画像信号における色合いに応じて皮脂部分の質を分類するステップを実行することができる。
【発明の効果】
【００２６】
本発明によれば、皮下の状態を表す画像から所望する要素を抽出して表示することができると共に、この表示された所望する要素をさらに細かい要素毎に色分け表示することができる。
【発明を実施するための最良の形態】
【００２７】
本発明実施例の皮下状態表示装置の構成を図１および図１６を参照して説明する。図１は本実施例の皮下状態表示システムにおける皮下状態表示装置のブロック構成図である。図１６は画像信号生成部内に設けられた皮脂質分類部のブロック構成図である。
【００２８】
本実施例は、図１に示すように、人体の皮下に対し超音波プローブ１０を介して超音波を送受信する超音波送受信部１と、この超音波送受信部１により受信した超音波の強度および当該受信波の送信時刻からの経過時間に基づき前記皮下の状態の情報を画素の輝度情報として収集する情報収集部２と、この情報収集部２により収集した前記輝度情報に基づき画像表示のための画像信号を生成する画像信号生成部４とを備えた皮下状態表示装置５である。
【００２９】
ここで、本実施例の特徴とするところは、情報収集部２により収集された前記輝度情報の中からあらかじめ指定された１以上の方向に対してそれぞれあらかじめ指定された個数以上の画素を含む画素列を抽出する手段と、この抽出する手段により抽出された画素列に含まれる各画素についてその輝度に応じてあらかじめ定められた色を指定する手段とを情報抽出部３に備え、画像信号生成部４は、情報抽出部３により抽出された画素列を画像表示するために生成する画像信号を前記色を指定する手段により指定された色として画像表示されるように生成する手段を備えたところにある。
【００３０】
さらに、画像信号生成部４は、図１６に示すように、生成された画像信号における色合いに応じて皮脂部分の質を分類する皮脂質分類部５０として色情報抽出部５１、色合い検索部５２、タイプ分類部５３、タイプ情報生成部５４、タイプ分類情報データベース５５を備える。
【００３１】
また、本実施例は、汎用の情報処理装置にインストールすることにより、その情報処理装置に本実施例の皮下状態表示装置５に相応する機能を実現させるプログラムとして実現することができる。このプログラムは、記録媒体に記録されて情報処理装置にインストールされ、あるいは通信回線を介して情報処理装置にインストールされることにより当該情報処理装置に、情報収集部２、情報抽出部３、画像信号生成部（皮脂質分類部５０を含む）４にそれぞれ相応する機能を実現させることができる。
【００３２】
本実施例の皮下状態表示装置５を汎用の情報処理装置としてのパーソナル・コンピュータ４０を用いて実現した例を図２に示す。図１の構成と比較すると、図１における超音波送受信部１は、図２における超音波送受信装置２０に置き換わっているが、情報収集部２、情報抽出部３、画像信号生成部４は、それぞれＣＤ−ＲＯＭ３０に書き込まれたプログラムをパーソナル・コンピュータ４０にインストールすることにより、パーソナル・コンピュータ４０上で実現される。
【００３３】
これにより、超音波送受信装置２０とパーソナル・コンピュータ４０およびその周辺機器（キーボード１１、マウス１２、モニタ１３）とを用意することにより図１に示すような本実施例の皮下状態表示装置５を用いた皮下状態表示システムを実現することができる。
【００３４】
また、本実施例は、図１３に示すように、皮下状態表示装置５が実行する皮下状態表示方法であって、本実施例の特徴とするところは、情報収集部２により収集された輝度情報の中からあらかじめ指定された１以上の方向に対してそれぞれあらかじめ指定された個数以上の画素を含む画素列を抽出するステップＳ２と、この抽出するステップＳ２により抽出された画素列に含まれる各画素についてその輝度に応じてあらかじめ定められた色を指定するステップＳ５と、画像信号生成部４に、抽出するステップＳ２により抽出された画素列を画像表示するための画像信号を生成させると共に、その画像信号を色を指定するステップＳ５により指定された色として画像表示されるように生成させるステップＳ７とを実行させるところにある。
【００３５】
また、図１６に示す皮脂質分類部５０により、図１７に示すように、画像信号生成部４により生成された画像信号における色合いに応じて皮脂部分の質を分類するステップＳ８〜Ｓ１２を実行する。
【００３６】
次に、情報抽出部３による画素列抽出手順について説明する。オペレータは、キーボード１１またはマウス１２により、情報抽出部３に指示を与え、抽出する画素列の方向および画素の輝度の範囲および画素列が含む画素の個数を指定する。
【００３７】
すなわち、皮下に有る生体の組織は、例えば、皮脂であれば、層を成しているし、筋肉であれば、繊維状になっており、必ず、ある程度の連続性を有し、周囲との関わりを持つことなくドット状に孤立して存在するものはない。
【００３８】
したがって、超音波の反射波によって収集した画素の輝度情報についても隣接する他の画素と関わりを持たない画素の輝度情報が有れば、それはノイズと判定して誤りではない。
【００３９】
そこで、本実施例では、あらかじめ指定された１以上の方向に対してそれぞれあらかじめ指定された個数以上の画素を含む画素列だけを抽出することにより、ノイズ成分を除去した画素列を得ることができることを特徴とする。
【００４０】
例えば、皮脂ならば皮膚に対して平行な横方向の層を成しているので、縦方向の画素列に含まれる画素数よりも横方向の画素列に含まれる画素数の方が多い。よって、例えば、横方向に１００個、縦方向に２０個の画素を含む画素列を抽出するようにすれば、皮脂の画像にノイズが表示されることを回避することができる。
【００４１】
また、除去される成分はノイズ成分だけではなく、観測を所望する組織以外の組織の画像信号も除去することができ、観測を所望する組織の観測を容易にすることができる。例えば、臓器を観測したい場合には、表皮に対して垂直（縦）方向の画素列を指定することにより、表皮に対して平行（横）方向の皮脂または筋肉の画像信号を除去することができる。
【００４２】
また、輝度の範囲を比較的輝度の強いものに限定して抽出することにより、大局的に検体を捉えるために有利な画像を得ることができる。その反対に、輝度の範囲を比較的輝度の弱いものも含めて抽出することにより、細部にわたり検体を精査するために有利な画像を得ることができる。本実施例の皮下状態表示装置５では、輝度に応じた色分け表示を行うので、抽出対象から除外する輝度の範囲を比較的輝度の強いものだけに限定しない利用形態が採られることになろう。
【００４３】
また、画素例が含む画素の個数を比較的多くして抽出することにより、大局的に検体を捉えるために有利な画像を得ることができる。その反対に、画素列が含む画素の個数を比較的少なくして抽出することにより、細部にわたり検体を精査するために有利な画像を得ることができる。
【００４４】
このように、抽出する画素列の方向および画素の輝度および個数を任意に設定することができるため、目的に応じて最適な画像を得ることができる。また、抽出する画素列の方向については表皮に対して平行方向および垂直方向など複数の方向を同時に指定することもできる。
【００４５】
次に、図３ないし図７を参照して画素列の抽出例を説明する。図３ないし図７の例では、抽出する画素列の方向を横方向（表皮に対して平行方向）とし、抽出する画素列に含まれる画素数は１０個以上とする。また、図中の○の大きさは輝度の強さを表す。図３に示すように、ほぼ同一の輝度を有する画素が表皮に対して平行方向に１０個以上並んでいる場合に、情報抽出部３は、この画素列を抽出する。
【００４６】
また、図４の例では、画素の輝度（○の大きさで表す）にバラツキがある。図４の例において、図３の例で示した輝度以下の画素は抽出対象から除外することにすれば、図４の画素列は抽出されない。
【００４７】
また、図５に示すように、中央の３列を除き、ほぼ同一の輝度の画素が表皮に対して平行方向に１０個未満並んでいる場合には情報抽出部３は、この画素列を抽出しない。
【００４８】
図６は情報抽出部３により抽出された図５に示す画素列を示す図である。図５に示した画素列は、図６に示すように、所定条件を満たす画素列のみが抽出される。また、図７は情報抽出部３により抽出されなかった図５に示す画素列を示す図である。情報抽出部３により抽出されなかった画素列は図７に示す画素列である。
【００４９】
画像信号生成部４は、情報抽出部３により抽出された画素列に基づき、この画素列をモニタ１３に画像表示するための画像信号を生成する。図８および図９は画素の輝度に応じた色指定の様子を示す図であるが、本実施例では、図８および図９に示すように、画素の輝度に応じた色指定を行う。例えば、輝度を０〜１５０の段階に分け、輝度が０〜１０は抽出範囲外を指定し、輝度が１１〜５０は黄（図９（ａ））を指定し、輝度が５１〜１００は赤（図９（ｂ））を指定し、輝度が１０１〜１５０は青（図９（ｃ））を指定する。これにより、図８に示すように、画素列に含まれる各輝度の色が指定される。
【００５０】
また、図１０および図１１は縦方向および横方向を指定した場合の画素列抽出例を示す図である。図１０の例では、縦方向の画素列に含まれる画素数は７個以上とし、横方向の画素列に含まれる画素数は１０個以上とした。このようにして抽出された画素列に対し、図１１に示すように、画素毎の色指定を行う。
【００５１】
図１２は色分け表示された皮下の画像の状態を概念的に示す図である。図８〜図１１では、輝度に応じて色分けする原理をわかりやすく説明するために、一つの画素列にさまざまな輝度の画素が混在し、色分けされている状態を示したが、実際には、図１２に示すように、皮脂または筋肉または浮腫（水腫）などの生体の組織の質量の差異によってそれぞれ超音波の反射率が異なり、それに伴って輝度情報が異なるため、これらの異なる組織単位で異なる色分け表示が行われる。したがって、皮下の状態を把握する上で、きわめて有用な色分け表示がなされる。
【００５２】
次に、本実施例の皮下状態表示方法を図１３を参照して説明する。図１３は本実施例の皮下状態表示方法を示すフローチャートである。図１３に示すように、情報抽出部３によって、指定方向の画素列を抽出する（Ｓ１）。さらに、情報抽出部３は、この画素列の内、指定個数以上の画素を含む画素列を抽出する（Ｓ２）。このようにして全ての画素について検査を行い（Ｓ３）、抽出された画素の輝度情報を抽出する（Ｓ４）。
【００５３】
続いて、画像信号生成部４は、情報抽出部３によって抽出された画素の輝度に応じた色指定を行う（Ｓ５）。情報抽出部３によって抽出された全ての画素について色指定を行い（Ｓ６）、モニタ１３に色分け表示できるように画像信号を生成する（Ｓ７）。
【００５４】
このようにしてモニタ１３には、図１２に示すような皮下状態表示が行われる。図１２の皮下状態表示例は、図１９に示した従来の皮下状態表示例と比較して皮脂または筋肉または浮腫を観測するために不要となる縦方向の画像信号が除去されており、さらに、皮脂は黄色、筋肉は青色、浮腫は赤に色分けされ、専門的知識を有する鑑定者でなくても皮脂、筋肉、浮腫を容易に見分けることができる。
【００５５】
また、特殊な応用例として、情報抽出部３によって抽出されずに除外された画素の輝度情報を画像信号生成部４に入力することによって、図１４に示すように、除外された画素または画素列をモニタ１３に表示させることもできる。さらに、この画像表示についても画素の輝度に応じた色分けを施すことができる。これによれば、本来、皮下に存在しないはずの異物の発見に有用な画像を得ることができる。
【００５６】
また、図１５の画像は表皮に対して垂直方向の画素列を抽出した例であり、図１４の画像からさらにドット状の画像が除去されていることがわかる。
【００５７】
次に、本実施例の皮脂質の分類に関する装置構成および方法について図１６ないし図１８を参照して説明する。図１６に示すように、画像信号生成部４内に、皮脂質分類部５０を設けることより、皮脂部分の質を自動的に分類することできる。その動作を説明すると、図１７に示すように、画像信号が生成されたら（Ｓ７）、その画像信号を色情報抽出部５１に入力し、各画素の色情報を抽出する（Ｓ８）。色情報抽出部５１によって抽出された各画素の色情報に基づき、色合い検索部５２が画像信号に多く含まれている同一色情報を検索する（Ｓ９）。
【００５８】
続いて、タイプ分類部５３は、タイプ分類情報データベース５５に保持されているタイプ分類情報を参照し、色合いからタイプを分類する（Ｓ１０）。このタイプ分類情報は、多数の検体について、どのような色合いの場合には、皮脂部分の質がどのようなタイプに分類できるかを検証して収集した統計情報である。
【００５９】
タイプ分類情報の一例を挙げると、タイプは、筋肉型、脂肪型、浮腫型に分類することができ、筋肉型では、脂肪または浮腫よりも質量の大きい筋肉が多くの部分を占めるため、全体の色合いとしては青色が多くなる。脂肪型では、筋肉または浮腫よりも質量の小さい脂肪が多くの部分を占めるため、全体の色合いとしては黄色が多くなる。浮腫型では、筋肉よりも質量が小さく脂肪よりも質量が大きい浮腫が多く含まれるため、全体の色合いとしては赤色が多くなる。このように全体の色合いを調べることによって皮脂の質をタイプ毎に分類することができる。
【００６０】
タイプ情報生成部５４では、分類されたタイプ名をモニタ１３に表示させるための画像信号としてのタイプ情報を生成する（Ｓ１１）。このタイプ情報はモニタ１３に出力され（Ｓ１２）、図１８に示すように、モニタ１３に、皮下状態の画像と共に表示される。
【産業上の利用可能性】
【００６１】
本発明によれば、皮下の状態を表す画像から所望する要素を抽出して表示することができると共に、この表示された所望する要素をさらに細かい要素毎に色分け表示することができるので、画像解析を行うオペレータは、専門的知識を有する必要がなく、皮下状態の観測を容易に行うことができる。
【図面の簡単な説明】
【００６２】
【図１】本実施例の皮下状態表示システムにおける皮下状態表示装置のブロック構成図。
【図２】汎用の情報処理装置によって本実施例の皮下状態表示システムを実現する例を示す図。
【図３】抽出される画素列の一例を示す図。
【図４】画素の輝度が異なる画素列の一例を示す図。
【図５】画素数が異なる画素列の一例を示す図。
【図６】図５の画素列から抽出された画素列を示す図。
【図７】図５の画素列から抽出されなかった画素列を示す図。
【図８】輝度に応じた色指定の様子を示す図。
【図９】輝度に応じた色指定の様子を示す図。
【図１０】縦横方向を指定した画素列抽出の例を示す図。
【図１１】縦横方向を指定した画素列抽出結果を示す図。
【図１２】色分け表示された皮下の状態を概念的に示す図。
【図１３】本実施例の皮下状態表示装置の動作を示すフローチャート。
【図１４】特殊な応用例を説明するための図。
【図１５】縦方向を指定した画素抽出結果を概念的に示す図。
【図１６】皮脂質分類部のブロック構成図。
【図１７】皮脂質分類手順を示すフローチャート。
【図１８】タイプ情報表示の様子を示す図。
【図１９】超音波により観測された従来の皮下の状態を概念的に示す図。
【符号の説明】
【００６３】
１  超音波送受信部
２  情報収集部
３  情報抽出部
４  画像信号生成部
５  皮下状態表示装置
１０  超音波プローブ
１１  キーボード
１２  マウス
１３  モニタ
２０  超音波送受信装置
３０  ＣＤ−ＲＯＭ
４０  パーソナル・コンピュータ
５０  皮脂質分類部
５１  色情報抽出部
５２  色合い検索部
５３  タイプ分類部
５４  タイプ情報生成部
５５  タイプ分類情報データベース
【図１】
2006129995.tif 000003
【図２】
2006129995.tif 000004
【図３】
2006129995.tif 000005
【図４】
2006129995.tif 000006
【図５】
2006129995.tif 000007
【図６】
2006129995.tif 000008
【図７】
2006129995.tif 000009
【図８】
2006129995.tif 000010
【図９】
2006129995.tif 000011
【図１０】
2006129995.tif 000012
【図１１】
2006129995.tif 000013
【図１２】
2006129995.tif 000014
【図１３】
2006129995.tif 000015
【図１４】
2006129995.tif 000016
【図１５】
2006129995.tif 000017
【図１６】
2006129995.tif 000018
【図１７】
2006129995.tif 000019
【図１８】
2006129995.tif 000020
【図１９】
2006129995.tif 000021